(57)【要約】【課題】簡易な構造でありながら、乾燥効率のよい引出し型乾燥装置を提供する。【解決手段】キャビネット１２において前方に開口部１２０を有する収納空間１０に前後に引出し自在に配置され、その内部に収容された収容物を乾燥する引出し型乾燥装置４であって、上記収納空間内に前後に引出し自在に収納される引出し部５０と、該引出し部の前面に配置され上記収納空間の開口部を閉鎖する前板５と、上記収納空間内に温風を供給する乾燥手段６１とを備えて構成され、上記収納空間内の空気を排気するための排気口７が、上記引出し部を上記収納空間に収納した状態において上記前板の上端と上記収納空間の上側開口縁との間に介在するよう配置されるとともに、上記引出し部の後方側部は少なくとも一部が開放されており、上記収納空間の外から取り込まれた空気を上記乾燥手段が加熱して温風とし、該温風は上記引出し部の後方側部における開放部分から上記引出し部内へ供給され、上記排気口から排気されるようにしたことを特徴とする。【選択図】図１
2010011941.tif 000002
【特許請求の範囲】
【請求項１】
キャビネットにおいて前方に開口部を有する収納空間に前後に引出し自在に配置され、その内部に収容された収容物を乾燥する引出し型乾燥装置であって、
上記収納空間内に前後に引出し自在に収納される引出し部と、該引出し部の前面に配置され上記収納空間の開口部を閉鎖する前板と、上記収納空間内に温風を供給する乾燥手段とを備えて構成され、
上記収納空間内の空気を排気するための排気口が、上記引出し部を上記収納空間に収納した状態において上記前板の上端と上記収納空間の上側開口縁との間に介在するよう配置されるとともに、上記引出し部の後方側部は少なくとも一部が開放されており、
上記収納空間の外から取り込まれた空気を上記乾燥手段が加熱して温風とし、該温風は上記引出し部の後方側部における開放部分から上記引出し部内へ供給され、上記排気口から排気されるようにしたことを特徴とする引出し型乾燥装置。
【請求項２】
請求項１において、
上記引出し部の後方側部には背板が設けられ、該背板の下方側には開放口が形成されており、
上記収納空間の後方下方側に送風口を有するとともに上記乾燥手段と接続された送風ダクトが更に設けられ、上記引出し部を上記収納空間に収納した状態で上記送風ダクトの送風口が上記開放口に臨んで、上記温風が上記引出し部内へ供給されるようにしたことを特徴とする引出し型乾燥装置。
【請求項３】
請求項１又は請求項２において、
上記乾燥手段へ外気を吸気する吸気口が、上記排気口と間隔を空けて配置されていることを特徴とする引出し型乾燥装置。
【請求項４】
請求項１乃至請求項３のいずれか１項において、
上記排気口と一端が接続されて上記収納空間後方へと延びる排気ダクトが更に設けられ、該排気ダクトの他端には空気の取込口が形成され、上記引出し部内を循環した温風を上記収納空間の後方から上記排気ダクトを介して排気するようにしたことを特徴とする引出し型乾燥装置。
【発明の詳細な説明】
【技術分野】
【０００１】
本発明は、キッチンのフロアキャビネットなどに組込んで使用される引出し型乾燥装置に関する。
【背景技術】
【０００２】
上述のような引出し型乾燥装置を備えたフロアキャビネットとしては、下記特許文献１及び下記特許文献２に開示されているものがある。
これらは、食器洗い乾燥機のように食器を洗う機能は備えていないが、軽く水切りさせたまな板などの調理器具やフキンなどを収納して乾燥する機能を備えている。
下記特許文献１には、開閉ダンパーによって開閉される吸排気口を複数形成し、温度センサの出力値に基づいて、換気、攪拌、除湿運転の切替えを行うものが開示されており、引出し部の前板中央に設けられた排気口から湿気を排気する構造が記載されている。
また下記特許文献２には、具体的な吸排気構造については記載されていないが、他のキャビネットとの統一感を配慮し、引出し部の前板の上側にほぼ一定の断面形状で横方向に細長く延びるライン型の取っ手の凹部に排気ユニットが組込まれたものが開示されている。
【特許文献１】特開２００６−３２０５５０号公報
【特許文献２】特開２００６−３４１００４号公報
【発明の開示】
【発明が解決しようとする課題】
【０００３】
このような引出し型乾燥装置の吸排気構造については、簡易な構造でありながら、温風が引出し部内に行渡り、湿気を含んだ空気はスムーズに排気される効率のよい吸排気構造が求められている。
また引出し型乾燥装置は、組み込まれたキャビネット全体と統一感を備えるとともに、意匠性を向上させるため、引出し部の前板のデザインは、他のキャビネットの引出し部と同じデザインコンセプトからなり、操作部や吸排気口が目立たないすっきりしたものが望まれる。
【０００４】
本発明は、上記課題を解決するために提案されたもので、簡易な構造でありながら、乾燥効率のよい引出し型乾燥装置を提供することを目的としている。
【課題を解決するための手段】
【０００５】
上記課題を解決するために、本発明に係る引出し型乾燥装置は、キャビネットにおいて前方に開口部を有する収納空間に前後に引出し自在に配置され、その内部に収容された収容物を乾燥する引出し型乾燥装置であって、
上記収納空間内に前後に引出し自在に収納される引出し部と、該引出し部の前面に配置され上記収納空間の開口部を閉鎖する前板と、上記収納空間内に温風を供給する乾燥手段とを備えて構成され、
上記収納空間内の空気を排気するための排気口が、上記引出し部を上記収納空間に収納した状態において上記前板の上端と上記収納空間の上側開口縁との間に介在するよう配置されるとともに、上記引出し部の後方側部は少なくとも一部が開放されており、
上記収納空間の外から取り込まれた空気を上記乾燥手段が加熱して温風とし、該温風は上記引出し部の後方側部における開放部分から上記引出し部内へ供給され、上記排気口から排気されるようにしたことを特徴とする。
【０００６】
本発明において、上記引出し部の後方側部には背板が設けられ、該背板の下方側には開放口が形成されており、上記収納空間の後方下方側に送風口を有するとともに上記乾燥手段と接続された送風ダクトが更に設けられ、上記引出し部を上記収納空間に収納した状態で上記送風ダクトの送風口が上記開放口に臨んで、上記温風が上記引出し部内へ供給されるようにしたものとしてもよい。また乾燥手段へ外気を吸気する吸気口が、上記排気口と間隔を空けて配置されているものとしてもよい。
更に、上記排気口と一端が接続されて上記収納空間後方へと延びる排気ダクトが更に設けられ、該排気ダクトの他端には空気の取込口が形成され、上記引出し部内を循環した温風を上記収納空間の後方から上記排気ダクトを介して排気するようにしたものとしてもよい。
【発明の効果】
【０００７】
本発明の引出し型乾燥装置によれば、温風を引出し部の開放部分から供給して、引出し部全域に温風を行渡らせ、湿気を含んだ空気は随時スムーズに排気させることができるので、簡易な構造でありながら、乾燥効率のよいものとすることができる。
また引出し部内に温風を供給する送風口が、引出し部の背板の開放口に臨むように設けられたものとすれば、引出し部内への温風の供給がスムーズになされ、より一層効率よく温風を引出し部内に供給させることができる。
更に、乾燥手段へ外気を吸気する吸気口が、排気口と間隔を空けて配置されているものとすれば、排気口から排気された湿った空気が吸気口から再び吸気されてしまう所謂ショートパス現象を防止することができる。
そして引出し部内を循環した温風を収納空間の後方から排気ダクトを介して排気するようにすれば、引出し部内に供給される温風をすぐに排気口から排気してしまうことがなく、効率のよい乾燥を行うことができる。
【発明を実施するための最良の形態】
【０００８】
以下に、本発明の実施の形態について、図面を参照しながら説明する。
図１は本発明に係る引出し型乾燥装置の概略的縦断面図、図２は同引出し型乾燥装置の模式的平面図、図３は同引出し型乾燥装置を備えたフロアキャビネットの全体斜視図、図４は同引出し型乾燥装置の正面図、図５は同引出し型乾燥装置の引出し部を引出した状態を示した図である。
図１、図２では引出し部５０内の空気の流れを矢印で示しており、図２では吸気された空気の流れを実線で、排気される空気の流れを点線で示している。
【０００９】
フロアキャビネット１は、キッチンの床面に設置されるキャビネット本体１２と、その上に配置されるカウンター１１とを備えている。
カウンター１１には、食材や食器などを洗ったりするための水栓２１を備えたシンク２２や、コンロなどの加熱調理器３が組み込まれている。キャビネット本体１２は引出式或いは扉式とした収納部１２１を備えている。収納部１２１は３段に構成されており、中段の収納部１２１は、取っ手部分が直線的にデザインされたライン取っ手９０を備えている。
引出し型乾燥装置４は、キャビネット本体１２の上記収納部１２１のひとつを収納空間１０として利用し、そこに組込まれており、該収納空間１０に前後に引出し自在に配置される引出し部５０と、引出し部５０内に収容された収容物を乾燥するための温風を供給する乾燥手段６１を備えて構成されている。
引出し部５０は、上方が開口の略箱型形状からなり、引出し部５０の前面に配置され、開口部１２０を閉鎖する前板５と、引出し部５０の底部を形成する底板５１と、引出し部５０の後方側部に配置される背板５２と備えている。引出し部５０の前板５の上側中央には、横方向に延びたライン型の取っ手部９が設けられており、取っ手部９を把持して前後に移動させると、引出し自在に収納可能となるよう収納空間１０には、レール状のガイド部１２２が設けられている（図５参照）。そして引出し部５０をキャビネット本体１２の収納空間１０に収納したときには、取っ手部９が後記する吸気口６と排気口７との間に形成された空間に、嵌め込まれるようになっている。
【００１０】
背板５２の下方側には開放口５２０が設けられており、引出し部５０を収納空間１０に収納した状態で、後記する送風ダクト６０の送風口６０２が開放口５２０に臨んで、温風がスムーズに引出し部５０内に供給されるよう構成されている。
引出し部５０の両側部には、パイプ状の線材５３が２本ずつ横設され、引出し部５０内には、フキン１０１を吊るして収納できるよう竿部材５３０が引出し部５０の前板５と背板５２との間に配設されている。この竿部材５３０はまな板１０２など、図５のように板状の収納物は立てた状態で収納して乾燥できるよう仕切り部材の機能も備えている。竿部材５３０は４本の線材で構成されており、複数枚のフキン１０１を２本の線材に架け渡して干すことができるようになっている。また線材と線材の間に皿を並べて立てた状態で収容することもできる。
ここで、竿部材５３０は着脱可能な構造とすれば、ボウルなどの調理器具や食器を収納する空間を作ることができ、引出し部５０内をフレキシブルな空間として使用することができる。
このように、引出し部５０内にフキン１０１は吊るして、まな板１０２は立ててすっきりと収納できるので、しっかりと乾燥でき、引出し部５０に収納された状態でこれら収容物を乾燥するので、水切りかごで自然乾燥させる場合と比べてホコリなどが気にならず、衛生的である。
図５には大小２枚のフキン１０１とまな板１０２とを引出し部５０に収納した例を示しているが、これに限定されるものではなく、竿部材５３０の形状、構成もこれに限定されるものではない。また引出し部５０の両側部の構成は図例のものに限定されるものではない。
【００１１】
キャビネット本体１２側には、乾燥手段６１へ収納空間１０の外の外気を吸気する吸気口６と、収納空間１０内の空気を排気するための排気口７とが設けられており、吸気口６と排気口７とは、引出し部５０を収納空間１０に収納した状態において、前板５の上端と収納空間１０の上側開口縁との間に介在するよう配置されている。また吸気口６と排気口７とは、間隔ｄ（図２参照）を空けて配置されている。
吸気口６及び排気口７は、キャビネット本体１２の収納部１２１中段に設けられたライン取っ手部９０の突出状態と同じように前方向に突出して設けられている（図３、図５参照）。よって引出し部５０が収納された状態においては、引出し部５０の取っ手部９がキャビネット本体１２に設けられた吸気口６及び排気口７との間に配置されているので、ライン取っ手部９０とともに横方向に直線的に延びるラインが形成され、統一感のあるフロアキャビネット１を構成することができる（図３参照）。
尚、ここでは、吸気口６、排気口７がキャビネット本体１２側に設けられている例を図示し説明しているがこれに限定されず、引出し部５０の前板５側にこれらが設けられるものとしてもよい。
【００１２】
乾燥手段６１は、収納空間１０の送風ダクト６０と接続されて設けられており、ファン及びヒータ（不図示）を組み合わせたものなどからなり、箱型のハウジング内に収容されている。乾燥手段６１は、タイマ機能を備えたものとしてもよく、後記する操作部８のスイッチ操作によって乾燥手段６１のオンオフ操作及び乾燥手段６１を設定したタイマ時間の間、駆動させるものとすることができる。
【００１３】
収納空間１０内には、吸気口６と一端が接続されて、収納空間１０の後方へと延び、側面視して倒Ｌ字形状の送風ダクト６０が配設されている。送風ダクト６０の一端は吸気口６に連通する連通口６０１とし、他端は収納空間１０に温風を供給する送風口６０２としている。吸気口６と連通して設けられる管状の送風ダクト６０は、吸気口６が設けられている位置から収納空間１０後方へ直線的に延び、収納空間１０の奥側で下方側に向かってＬ字に折れ曲がっている。
送風ダクト６０の送風口６０２は、引出し部５０を収納空間１０に収納した状態で背板５２の開放口５２０に臨んで、温風が引出し部５０内に供給されるように設けられている。
【００１４】
また収納空間１０内には、排気口７と一端が接続されて、収納空間１０後方へと延びる排気ダクト７０が設けられており、排気ダクト７０の他端には空気の取込口７０２が形成されている。排気口７と連通して設けられる管状の排気ダクト７０は、排気口７が設けられている位置から収納空間１０後方にそのまま直線的に延びて配設される。取込口７０２は、収納空間１０の後方奥側に設けられ、引出し部５０内を循環した温風を収納空間１０の後方から排気ダクト７０を介して排気するようにしている。
【００１５】
このように送風ダクト６０がＬ字型に設けられ、温風を収納空間１０内に供給する送風口６０２が収納空間１０の奥側下方に設けられているので、収納空間１０全域に温風を効率よく行渡らせることができる。すなわち暖かい空気は上へ上へと上昇する性質を持っており、また暖かい空気は冷たい空気がある側へと流れる性質を持っているため、収納空間１０の奥側下方から温風を供給すれば、空気の流れが下から上へと流れ（図１の矢印参照）、排気されるべき行き場を無くした冷たい空気は排気ダクト７０の取込口７０２へと流れていくことなり、理想的な空気の流れを作ることができる。
このとき、吸気口６と排気口７とは所定の間隔ｄを隔てて設けられているため、排気口７から排気された湿った空気が吸気口６から再び吸気されてしまうことがなく、ショートパス現象を防止することができる。
【００１６】
図３、図４に示すように前板５の前面上端には操作部８が設けられており、乾燥指令スイッチ８１や電源スイッチ８２などで構成される。操作部８の構成は図例のものに限定されず、タイマ時間やエラー内容を表示する液晶表示部を設けたものとしてもよい。
ここに示す操作部８は、吸気口６の上方に一体に設けられている。これによれば、一体性のあるコンパクトな構成とすることができる。またこのように吸気口６側に設けられたものとすれば、排気口７から排気される空気の影響を受けることがないので、排気された空気の影響で操作部８が故障するおそれがなく、排気される空気に当たることもないので、ユーザによる操作もし易いものとすることができる。
【００１７】
次に引出し型乾燥装置４による乾燥機能の使用手順を説明する。
まずは引出し部５０の取っ手９を持って、引出し部５０を引出し（図５参照）、洗い終わったまな板１０２或いはフキン１０１などを引出し部５０内に収容する。取っ手部９を持って、引出し部５０を収納空間１０に収納する（図３参照）。
操作部８を操作してタイマ設定操作を行い、乾燥指令スイッチ８１をオンすると乾燥手段６１が駆動する。乾燥手段６１のファンが起動して吸気口６から外気を取り込む。取り込まれた空気は送風ダクト６０の連通口６０１を通じて送風ダクト６０内を流通する。流通してきた空気はヒータによって温められる。その後、温められ温風となった空気は送風口６０２から開放口５２０を通じて引出し部５０内へとスムーズに供給される。引出し部５０内へ供給された温風は引出し部５０を循環してまな板１０２、フキン１０１などの収容物を効率よく乾燥する。そして排気口７からは取込口７０２を通じて排気ダクト７０を介して引出し部５０内を循環した空気が随時排気される。
【００１８】
このように温風を引出し部５０内へ供給する送風口６０２は収納空間１０後方の下方側に設けられ、取込口７０２は収納空間１０後方の上方側に設けられており、送風口６０２と取込口７０２との間が離れているので、引出し部５０に供給されたばかりの温風が排気口７からすぐに排気されるといった現象を防ぐこともできる。
【００１９】
操作部８で設定されたタイマ時間の間、乾燥手段６１を駆動させた後、タイマ時間が経過すると乾燥が終わったことを液晶表示或いは、ブザー（不図示）を鳴動させてユーザに知らせ、乾燥工程が終了となる。
以上、乾燥機能の使用手順は上述の例に限定されるものではなく、操作部８での設定内容もこれに限定されるものではなく、操作部８によって一時停止などの操作を行えば、乾燥途中でも引出し部５０から乾燥中のものを取り出して使用することもできる。
【００２０】
尚、本発明のフロアキャビネット１、引出し型乾燥装置４の構成及び形状、デザインは図例のものに限定されるものではない。またキッチンのフロアキャビネットに限定されず、洗面台のフロアキャビネットにも適用可能であり、雑巾或いはタオルなどの乾燥に用いることもできる。
【図面の簡単な説明】
【００２１】
【図１】本発明に係る引出し型乾燥装置の概略的縦断面図である。
【図２】同引出し型乾燥装置の模式的平面図である。
【図３】同引出し型乾燥装置を備えたフロアキャビネットの全体斜視図である。
【図４】同引出し型乾燥装置の正面図である。
【図５】同引出し型乾燥装置の引出し部を引出した状態を示した図である
【符号の説明】
【００２２】
４      引出し型乾燥装置
５      前板
５２      背板
５２０      開放口
５０      引出し部
１０      収納空間
６      吸気口
６０      送風ダクト
６０１      連通口
６０２      送風口
６１      乾燥手段
７      排気口
７０      排気ダクト
８      操作部
１２０      開口部
１２      キャビネット本体（キャビネット）
【図１】
2010011941.tif 000003
【図２】
2010011941.tif 000004
【図３】
2010011941.tif 000005
【図４】
2010011941.tif 000006
【図５】
2010011941.tif 000007